(57)【要約】【課題】安全でエネルギー効率のよい加熱送風装置を提供することをその課題とする。【解決手段】モータの異常時、例えばファンに異物が付着してモータが回らない、もしくは大きく負荷がかかって回転数が落ちた場合やモータ付近の回路が断線した場合、本発明の連動機構が作用する。すなわち、このような異常時にはモータＭの両端の電圧が低下する。本実施例においては、電圧が３．３ボルト未満となった場合、ツエナーダイオードＺＤには電流が流れない。するとフォトカプラ送信部ＰＴ１にも電流が流れないので発光ダイオードは発光せず、フォトカプラ受信部ＰＴ２が導通しない。よって電源９が遮断されるため、ヒータ温度制御回路ＨＣが動作せず、結果としてヒータ７に電力が供給されないのである。【選択図】  図２
2014147547.tif 000002
【特許請求の範囲】
【請求項１】
電源とヒータとモータを有する給電回路を備え、該給電回路を接離するスイッチを備えた加熱送風装置において、
該モータの駆動と該ヒータの加熱運転とを連動させる連動機構を設けたことを特徴とする加熱送風装置。
【発明の詳細な説明】
【技術分野】
【０００１】
本発明は、例えばホットエアガン等の加熱送風装置の制御機構に関するものである。
【背景技術】
【０００２】
ホットエアガンやドライヤー等の加熱送風装置は、本体に設けられたスイッチをＯＮ操作することにより、モータの給電回路が通電してモータが回転し、モータに固定されたファンも回転することでノズルから送風されるように構成されている。このスイッチＯＮ操作により、ヒータの給電回路も通電してヒータが加熱されるようにもなっており、スイッチのＯＮ操作によって、ノズルから加熱された温風を送風することができる。
【０００３】
このような加熱送風装置には、過熱防止機構が備わっている。特許文献１に示すように、例えばファン能力の低下に起因してヒータが過熱してリミットスイッチがＯＦＦに切り換わると、ヒータをＯＦＦにしてファンによる送風運転を所定時間行い、その後装置の運転を停止するように制御されている。
【先行技術文献】
【特許文献】
【０００４】
【特許文献１】特開平４−１７８０６号公報
【発明の概要】
【発明が解決しようとする課題】
【０００５】
しかしながら、特許文献１の構成では、例えばファンに異物が付着する等で、スイッチがＯＮしているにもかかわらず、モータが回らない、もしくは大きく負荷がかかって回転数が落ちた場合やモータ付近の回路が断線した場合にもヒータは加熱される。リミットスイッチがＯＦＦになるとヒータはＯＦＦになるものの、加熱送風装置としての機能が果たせない場合にヒータが加熱されるのは、安全性やエネルギー効率の面から改良の余地があった。
【０００６】
本発明は、上述の問題を解決するためになされたもので、その目的は、安全でエネルギー効率のよい加熱送風装置を提供することである。
【課題を解決するための手段】
【０００７】
本発明は上記目的を達成するため、電源とヒータとモータを有する給電回路を備え、該給電回路を接離するスイッチを備えた加熱送風装置において、該モータの駆動と該ヒータの加熱運転とを連動させる連動機構を設けたことを特徴とする。
【発明の効果】
【０００８】
本発明の加熱送風装置においては、モータが正常に回転しない場合はヒータが加熱せず、安全でエネルギー効率のよい加熱送風装置を得ることができる。
【図面の簡単な説明】
【０００９】
【図１】本発明に係る加熱送風装置の一実施形態を示す斜視図である。
【図２】本発明に係る加熱送風装置の回路図である。
【発明を実施するための形態】
【００１０】
以下、本発明を実施するための好適な実施形態について、図１、２を用いて説明する。なお、以下の実施形態は、各請求項に係る発明を限定するものではなく、また、実施形態の中で説明されている特徴の組み合わせの全てが発明の解決手段に必須であるとは限らない。
【００１１】
図１に示されるように、加熱送風装置は略ピストル形状をしており、後述するモータＭ及びヒータ７が内蔵された本体１と、操作者が装置を把持するためのハンドル２とを備えている。モータＭの図示しない回転軸にはファンが固定されている。ハンドル２にはスイッチ３と電源コード４（一部のみ図示）とが設けられている。本体１の先端には温風を送風するためのノズル５が設けられており、後端にはこの温風の温度を調整するための温度調整ダイヤル６が設けられている。よって電源コード４を電源に接続してスイッチ３をＯＮすると、ヒータ７が加熱されてモータＭが回転することにより、ノズル５から温風が送風されることとなる。
【００１２】
図２に加熱送風装置の回路図を示す。本回路は、前述のモータＭ、スイッチ３、ヒータ７、そして電源８を具備している。図中ＴＳは従来からあるサーモスタットであり、ヒータ７が異常加熱した場合に、ヒータ７への電流供給を遮断する機能を有する。
【００１３】
モータＭに並列して、抵抗Ｒと発光ダイオードにより構成されるフォトカプラ送信部ＰＴ１、そしてツエナーダイオードＺＤが設けられている。ツエナーダイオードＺＤは印加される電圧が一定値を下回ると電流が流れない特性を有しており、本実施例におけるこの閾値は３．３ボルトである。
【００１４】
図２中、符号ＰＴ２はフォトトランジスタにより構成されるフォトカプラ受信部であり、前述のフォトカプラ送信部ＰＴ１と共にフォトカプラの一部を構成している。フォトカプラ送信部ＰＴ１は入力された電気信号を光に変換し、その光でフォトカプラ受信部ＰＴ２を導通させる。
【００１５】
フォトカプラ受信部ＰＴ２には後述のヒータ温度制御回路ＨＣを駆動するための電源９が接続されている。この電源９は前述の電源８と接続されており、電源８の電圧を低電圧に変換したものである。電源９からの電流は、前述のフォトカプラ送信部ＰＴ２が導通することによりヒータ温度制御回路ＨＣへ流れるように構成される。
【００１６】
このヒータ温度制御回路ＨＣは前述の温度調整ダイヤル６と連動しており、ヒータ７の温度調整機能を有する。具体的には、ヒータ温度調整回路ＨＣとヒータ７間に設けられたトライアックＴＲの位相を制御することにより、ヒータ７への電流供給を調整する。
【００１７】
前述の抵抗Ｒ、フォトカプラ送信部ＰＴ１、受信部ＰＴ２、ツエナーダイオードＺＤ、ヒータ温度制御回路ＨＣ、トライアックＴＲが本発明における連動機構を構成していることとなる。
【００１８】
次に本発明の加熱送風装置の作用について説明する。スイッチ３をＯＮすると、ヒータ７が加熱される。同時にモータＭとこれに固定されたファンが回転し、ノズル５から温風が送風される。
【００１９】
モータの異常時、例えばファンに異物が付着してモータが回らない、もしくは大きく負荷がかかって回転数が落ちた場合やモータ付近の回路が断線した場合、本発明の連動機構が作用する。すなわち、このような異常時にはモータＭの両端の電圧が低下する。本実施例においては、電圧が３．３ボルト未満となった場合、ツエナーダイオードＺＤには電流が流れない。するとフォトカプラ送信部ＰＴ１にも電流が流れないので発光ダイオードは発光せず、フォトカプラ受信部ＰＴ２が導通しない。よって電源９が遮断されるため、ヒータ温度制御回路ＨＣが動作せず、結果としてヒータ７に電力が供給されないのである。
【００２０】
このように、モータＭの異常時、すなわち加熱送風装置が本来の機能を果たせない時にはヒータ７が過熱されないので、省エネ効果があり、安全である。
【００２１】
以上、本発明の好適な実施形態について説明したが、本発明の技術的範囲は上記実施形態の技術的範囲に限定されない。前述の実施例では温度調整機構が設けられていたが、これを省略してもよい。この場合、抵抗Ｒ、フォトカプラ送信部ＰＴ１、受信部ＰＴ２、ツエナーダイオードＺＤが本発明における連動機構を構成することとなる。
【産業上の利用可能性】
【００２２】
本発明に係る加熱送風装置は、モータとヒータとを有する加熱送風装置において極めて有用である。
【符号の説明】
【００２３】
１…本体、２…ハンドル、３…スイッチ、４…電源コード、５…ノズル、６…温度調整ダイヤル、７…ヒータ、８…電源、９…電源、ＨＣ…ヒータ温度制御回路、Ｍ…モータ、ＰＴ１…フォトカプラ送信部、ＰＴ２…フォトカプラ受信部、Ｒ…抵抗、ＴＲ…トライアック、ＴＳ…サーモスタット、ＺＤ…ツエナーダイオード
【図１】
2014147547.tif 000003
【図２】
2014147547.tif 000004